(57)【特許請求の範囲】
【請求項１】
複数種類の出力方法でデータを出力可能な画像形成装置であって、
出力先を特定するための出力先特定情報と、前記複数種類の出力方法のいずれか１つと、前記いずれか１つの出力方法でデータを出力するための出力先情報とを関連付けた出力先データを記憶する出力先データ記憶手段と、
データを記憶するデータ記憶手段と、
ユーザを声紋認証するための声紋を含む声紋データを予め記憶する声紋データ記憶手段と、
音声を受付ける音声受付手段と、
前記音声受付手段により電話回線に接続された通信手段から受付けられた音声を、前記声紋データを用いて声紋認証する声紋認証手段と、
前記声紋認証手段による声紋認証が成功した場合に、前記受付けられた音声を音声認識して該音声に対応するデータを出力する音声認識手段と、
前記音声に対応するデータから処理対象となるデータを特定するデータ識別情報と出力先を特定する出力先特定情報とを抽出する抽出手段と、
前記抽出手段により前記データ識別情報と前記出力先特定情報とが抽出された場合、該データ識別情報で特定されるデータを前記データ記憶手段から読み出し、前記出力先特定情報を含む出力先データを抽出し、前記抽出された出力先データに含まれる前記出力方法で前記出力先情報で特定される出力先に前記読み出されたデータを出力するデータ出力手段と、
前記音声受付手段とは別に設けられ、音声を受付けるためのマイクと、
データを取得するデータ取得手段と、を備え、
前記声紋認証手段は、前記マイクにより受付けられた音声を、前記声紋データを用いて声紋認証し、
前記音声認識手段は、前記声紋認証手段による前記マイクにより受付けられた音声の声紋認証が成功した場合に、前記マイクにより受付けられた音声を音声認識して該音声に対応するデータを出力し、
前記マイクにより受付けられた音声を音声認識して出力される該音声に対応するデータからデータ識別情報を抽出する入力データ抽出手段と、
前記入力データ抽出手段により前記データ識別情報が抽出された場合、該抽出されたデータ識別情報を付して前記データ取得手段が出力する前記データを前記データ記憶手段に書き込む書込手段と、をさらに備えた画像形成装置。
【請求項２】
前記声紋データ記憶手段は、ユーザの声紋を、該ユーザを識別するためのユーザ識別情報と関連付けて記憶し、
前記データ記憶手段は、ユーザ識別情報と前記データ識別情報とを関連付けたユーザデータを記憶するユーザデータ記憶手段を含み、
前記データ出力手段は、前記声紋認証手段により認証されたユーザのユーザ識別情報と前記抽出手段により抽出された前記データ識別情報とを関連付けた前記ユーザデータが前記ユーザデータ記憶手段に記憶されていることをさらに条件として、前記抽出されたデータ識別情報で特定されるデータを出力する、請求項１に記載の画像形成装置。
【請求項３】
前記声紋データ記憶手段は、ユーザの声紋を、該ユーザを識別するためのユーザ識別情報と関連付けて記憶し、
前記データ記憶手段は、ユーザ識別情報と前記データ識別情報とを関連付けたユーザデータを記憶するユーザデータ記憶手段を含み、
前記書込手段は、前記声紋認証手段により認証されたユーザの前記ユーザ識別情報と前記入力データ抽出手段により抽出された前記データ識別情報とを関連付けたユーザデータを前記ユーザデータ記憶手段に書き込むユーザデータ書込手段を含む、請求項１または２に記載の画像形成装置。
【請求項４】
前記音声に対応するデータは、テキストデータである、請求項１〜３のいずれかに記載の画像形成装置。
【請求項５】
ユーザを声紋認証するための声紋を含む声紋データを予め記憶する声紋データ記憶手段を備えた画像形成装置を制御するコンピュータで実行される音声コマンド実行プログラムであって、
前記画像形成装置は、複数種類の出力方法でデータを出力可能な画像形成装置であって、出力先を特定するための出力先特定情報と、前記複数種類の出力方法のいずれか１つと、前記いずれか１つの出力方法でデータを出力するための出力先情報とを関連付けた出力先データを記憶する出力先データ記憶手段と、
データを記憶するデータ記憶手段と、
電話回線に接続された通信手段と、
前記通信手段とは別に設けられ、音声を受付けるためのマイクと、をさらに備え、
前記通信手段を介して音声を受付けるステップと、
前記受付けた音声を、前記声紋データを用いて声紋認証するステップと、
前記声紋認証ステップによる声紋認証が成功した場合に、前記受付けた音声を音声認識して音声に対応するデータを出力するステップと、
前記音声に対応するデータから処理対象となるデータを特定するデータ識別情報と出力先を特定する出力先特定情報とを抽出するステップと、
前記抽出ステップにおいて前記データ識別情報と前記出力先特定情報とが抽出された場合、該データ識別情報で特定されるデータを前記データ記憶手段から読み出し、前記出力先特定情報を含む出力先データを抽出し、前記抽出された出力先データに含まれる前記出力方法で前記出力先情報で特定される出力先に前記読み出されたデータを出力するステップと、を前記コンピュータに実行させ、
前記声紋認証するステップは、前記マイクにより受付けられた音声を、前記声紋データを用いて声紋認証するステップを含み、
前記音声認識するステップは、前記声紋認証するステップにおいて前記マイクにより受付けられた音声の声紋認証が成功した場合に、前記マイクにより受付けられた音声を音声認識して該音声に対応するデータを出力するステップを含み、
データを取得するステップと、
前記マイクにより受付けられた音声を音声認識して出力される該音声に対応するデータからデータ識別情報を抽出するステップと、
前記音声に対応するデータから前記データ識別情報が抽出された場合、該抽出されたデータ識別情報を付して前記データを取得するステップにおいて取得された前記データを前記データ記憶手段に書き込むステップと、をさらに前記コンピュータに実行させる、音声コマンド実行プログラム。
【請求項６】
前記声紋データ記憶手段は、ユーザの声紋を、該ユーザを識別するためのユーザ識別情報と関連付けて記憶し、
前記データ記憶手段は、ユーザ識別情報と前記データ識別情報とを関連付けたユーザデータを記憶するユーザデータ記憶手段を含み、
前記読み出されたデータを出力するステップは、前記声紋認証ステップにおいて認証されたユーザのユーザ識別情報と前記抽出するステップにより抽出された前記データ識別情報とを関連付けた前記ユーザデータが前記ユーザデータ記憶手段に記憶されていることをさらに条件として、前記抽出されたデータ識別情報で特定されるデータを出力するステップを含む、請求項５に記載の音声コマンド実行プログラム。
【請求項７】
前記声紋データ記憶手段は、ユーザの声紋を、該ユーザを識別するためのユーザ識別情報と関連付けて記憶し、
前記データ記憶手段は、ユーザ識別情報と前記データ識別情報とを関連付けたユーザデータを記憶するユーザデータ記憶手段を含み、
前記書込するステップは、前記声紋認証するステップにおいて認証されたユーザの前記ユーザ識別情報と前記マイクにより受付けられた音声から抽出された前記データ識別情報とを関連付けたユーザデータを前記ユーザデータ記憶手段に書き込むステップを含む、請求項５または６に記載の音声コマンド実行プログラム。
【請求項８】
前記音声に対応するデータは、テキストデータである、請求項５〜７のいずれかに記載の音声コマンド実行プログラム。
【請求項９】
ユーザを声紋認証するための声紋を含む声紋データを予め記憶する声紋データ記憶手段を備えた画像形成装置で実行される音声コマンド実行方法であって、
前記画像形成装置は、複数種類の出力方法でデータを出力可能な画像形成装置であって、出力先を特定するための出力先特定情報と、前記複数種類の出力方法のいずれか１つと、前記いずれか１つの出力方法でデータを出力するための出力先情報とを関連付けた出力先データを記憶する出力先データ記憶手段と、
データを記憶するデータ記憶手段と、
電話回線に接続された通信手段と、
前記通信手段とは別に設けられ、音声を受付けるためのマイクと、をさらに備え、
前記通信手段を介して音声を受付けるステップと、
前記受付けた音声を、前記声紋データを用いて声紋認証するステップと、
前記声紋認証ステップによる声紋認証が成功した場合に、前記受付けた音声を音声認識して音声に対応するデータを出力するステップと、
前記音声に対応するデータから処理対象となるデータを特定するデータ識別情報と出力先を特定する出力先特定情報とを抽出するステップと、
前記抽出ステップにおいて前記データ識別情報と前記出力先特定情報とが抽出された場合、該データ識別情報で特定されるデータを前記データ記憶手段から読み出し、前記出力先特定情報を含む出力先データを抽出し、前記抽出された出力先データに含まれる前記出力方法で前記出力先情報で特定される出力先に前記読み出されたデータを出力するステップと、を含み、
前記声紋認証するステップは、前記マイクにより受付けられた音声を、前記声紋データを用いて声紋認証するステップを含み、
前記音声認識するステップは、前記声紋認証するステップにおいて前記マイクにより受付けられた音声の声紋認証が成功した場合に、前記マイクにより受付けられた音声を音声認識して該音声に対応するデータを出力するステップを含み、
データを取得するステップと、
前記マイクにより受付けられた音声を音声認識して出力される該音声に対応するデータからデータ識別情報を抽出するステップと、
前記音声に対応するデータから前記データ識別情報が抽出された場合、該抽出されたデータ識別情報を付して前記データを取得するステップにおいて取得された前記データを前記データ記憶手段に書き込むステップと、をさらに含む音声コマンド実行方法。
【請求項１０】
前記声紋データ記憶手段は、ユーザの声紋を、該ユーザを識別するためのユーザ識別情報と関連付けて記憶し、
前記データ記憶手段は、ユーザ識別情報と前記データ識別情報とを関連付けたユーザデータを記憶するユーザデータ記憶手段を含み、
前記読み出されたデータを出力するステップは、前記声紋認証ステップにおいて認証されたユーザのユーザ識別情報と前記抽出するステップにより抽出された前記データ識別情報とを関連付けた前記ユーザデータが前記ユーザデータ記憶手段に記憶されていることをさらに条件として、前記抽出されたデータ識別情報で特定されるデータを出力するステップを含む、請求項９に記載の音声コマンド実行方法。
【請求項１１】
前記声紋データ記憶手段は、ユーザの声紋を、該ユーザを識別するためのユーザ識別情報と関連付けて記憶し、
前記データ記憶手段は、ユーザ識別情報と前記データ識別情報とを関連付けたユーザデータを記憶するユーザデータ記憶手段を含み、
前記書込するステップは、前記声紋認証するステップにおいて認証されたユーザの前記ユーザ識別情報と前記マイクにより受付けられた音声から抽出された前記データ識別情報とを関連付けたユーザデータを前記ユーザデータ記憶手段に書き込むステップを含む、請求項９または１０に記載の音声コマンド実行方法。
【請求項１２】
前記音声に対応するデータは、テキストデータである、請求項９〜１１のいずれかに記載の音声コマンド実行方法。
【発明の詳細な説明】
【技術分野】
【０００１】
この発明は、画像形成装置、音声コマンド実行プログラムおよび音声コマンド実行方法に関し、特に、音声認識機能を備えた画像形成装置、その画像形成装置で実行される音声コマンド実行プログラムおよび音声コマンド実行方法に関する。
【背景技術】
【０００２】
近年、印刷装置に印刷させるデータのセキュリティを確保するために、ユーザ認証を条件にデータを印刷する印刷装置が提案されている。たとえば、特開２００２−３５１６２７号公報（特許文献１）には、検索データの印刷命令とユーザ識別情報とを印刷装置に送信しておき、印刷装置では、後にユーザにより入力されるユーザ識別情報と送信されてきたユーザ識別情報とが一致すれば、検索データを印刷する情報出力システムが記載されている。しかしながら、印刷命令とユーザを認証するためのユーザ識別情報との２種類の情報を入力しなければならないといった問題がある。
【０００３】
一方、音声認識技術の発達により、処理を実行させるコマンドを音声で入力する画像形成装置が提案されている。たとえば、特開２００２−２８７７９６号公報（特許文献２）に記載の画像形成装置は、マイクロホンからの音声に含まれる指示が、音声認識部で認識され、それに対応する制御信号が制御信号作成部で作成される。制御信号に基づき装置の機能実施部の動作が制御される。しかしながら、特開２００２−３５１６２７号公報に記載の情報出力システムのように、セキュリティを確保するためにユーザ認証が必要な場合には、音声による指示の入力とは別に、ユーザを認証するための認証情報を入力しなければならない。
【特許文献１】特開２００２−３５１６２７号公報
【特許文献２】特開２００２−２８７７９６号公報
【発明の開示】
【発明が解決しようとする課題】
【０００４】
この発明は上述した問題点を解決するためになされたもので、この発明の目的の一つは、指示の入力を容易にするとともにセキュリティを確保した画像形成装置を提供することである。
【０００５】
この発明の他の目的は、画像形成装置への指示の入力を容易にするとともにセキュリティを確保することが可能な音声コマンド実行プログラムおよび音声コマンド実行方法を提供することである。
【課題を解決するための手段】
【０００６】
上述した目的を達成するためにこの発明のある局面によれば、画像形成装置は、複数種類の出力方法でデータを出力可能な画像形成装置であって、出力先を特定するための出力先特定情報と、複数種類の出力方法のいずれか１つと、いずれか１つの出力方法でデータを出力するための出力先情報とを関連付けた出力先データを記憶する出力先データ記憶手段と、データを記憶するデータ記憶手段と、ユーザを声紋認証するための声紋を含む声紋データを予め記憶する声紋データ記憶手段と、音声を受付ける音声受付手段と、音声受付手段により電話回線に接続された通信手段から受付けられた音声を、声紋データを用いて声紋認証する声紋認証手段と、声紋認証手段による声紋認証が成功した場合に、受付けられた音声を音声認識して音声に対応するデータを出力する音声認識手段と、音声に対応するデータから処理対象となるデータを特定するデータ識別情報と出力先を特定する出力先特定情報とを抽出する抽出手段と、抽出手段によりデータ識別情報と出力先特定情報とが抽出された場合、該データ識別情報で特定されるデータをデータ記憶手段から読み出し、出力先特定情報を含む出力先データを抽出し、抽出された出力先データに含まれる出力方法で出力先情報で特定される出力先に読み出されたデータを出力するデータ出力手段と、音声受付手段とは別に設けられ、音声を受付けるためのマイクと、データを取得するデータ取得手段と、を備え、声紋認証手段は、マイクにより受付けられた音声を、声紋データを用いて声紋認証し、音声認識手段は、声紋認証手段によるマイクにより受付けられた音声の声紋認証が成功した場合に、マイクにより受付けられた音声を音声認識して該音声に対応するデータを出力し、マイクにより受付けられた音声を音声認識して出力される該音声に対応するデータからデータ識別情報を抽出する入力データ抽出手段と、入力データ抽出手段によりデータ識別情報が抽出された場合、該抽出されたデータ識別情報を付してデータ取得手段が出力するデータをデータ記憶手段に書き込む書込手段と、をさらに備える。
【０００７】
この局面に従えば、電話回線から音声が受付けられると、受付けられた音声が声紋認証され、声紋認証が成功した場合に、受付けられた音声が音声認識されて音声に対応するデータが出力される。このため、受付けられた音声を、声紋認証と音声認識とに用いるので、指示の入力を容易にするとともにセキュリティを確保した情報処理装置を提供することができる。
【０００９】
また、電話回線から音声が受信されるので、遠隔地にいるユーザが電話で処理を実行させることができる。
【００１１】
さらに、出力先を特定するための出力先特定情報と、複数種類の出力方法のいずれか１つと、そのいずれか１つの出力方法でデータを出力するための出力先情報とを関連付けた出力先データが記憶されており、音声に対応するデータからデータ識別情報と出力先特定情報とが抽出された場合、抽出された出力先特定情報を含む出力先データが抽出され、抽出された出力先データに含まれる出力方法で出力先情報で特定される出力先にデータ識別情報で特定されるデータが出力される。このため、ユーザは、データ識別情報と出力先特定情報とを音声入力すればよいので、データを出力する指示を容易に入力することができる。
さらに、データが取得され、マイクから受け付けられる音声に対応するデータからデータ識別情報が抽出された場合、取得されたデータが抽出されたデータ識別情報を付して記憶されるので、セキュリティを確保しつつ容易にデータを記憶させることができる。
【００１２】
好ましくは、声紋データ記憶手段は、ユーザの声紋を、該ユーザを識別するためのユーザ識別情報と関連付けて記憶し、データ記憶手段は、ユーザ識別情報とデータ識別情報とを関連付けたユーザデータを記憶するユーザデータ記憶手段を含み、データ出力手段は、声紋認証手段により認証されたユーザのユーザ識別情報と抽出手段により抽出されたデータ識別情報とを関連付けたユーザデータがユーザデータ記憶手段に記憶されていることをさらに条件として、抽出されたデータ識別情報で特定されるデータを出力する。
【００１６】
好ましくは、声紋データ記憶手段は、ユーザの声紋を、該ユーザを識別するためのユーザ識別情報と関連付けて記憶し、データ記憶手段は、ユーザ識別情報とデータ識別情報とを関連付けたユーザデータを記憶するユーザデータ記憶手段を含み、書込手段は、声紋認証手段により認証されたユーザのユーザ識別情報と抽出手段により抽出されたデータ識別情報とを関連付けたユーザデータをユーザデータ記憶手段に書き込むユーザデータ書込手段を含む。
【００１７】
好ましくは、音声に対応するデータは、テキストデータである。
【００１８】
この発明の他の局面によれば、音声コマンド実行プログラムは、ユーザを声紋認証するための声紋を含む声紋データを予め記憶する声紋データ記憶手段を備えた画像形成装置を制御するコンピュータで実行される音声コマンド実行プログラムであって、画像形成装置は、複数種類の出力方法でデータを出力可能な画像形成装置であって、出力先を特定するための出力先特定情報と、複数種類の出力方法のいずれか１つと、いずれか１つの出力方法でデータを出力するための出力先情報とを関連付けた出力先データを記憶する出力先データ記憶手段と、データを記憶するデータ記憶手段と、電話回線に接続された通信手段と、通信手段とは別に設けられ、音声を受付けるためのマイクと、をさらに備え、通信手段を介して音声を受付けるステップと、受付けた音声を、声紋データを用いて声紋認証するステップと、声紋認証ステップによる声紋認証が成功した場合に、受付けた音声を音声認識して音声に対応するデータを出力するステップと、音声に対応するデータから処理対象となるデータを特定するデータ識別情報と出力先を特定する出力先特定情報とを抽出するステップと、抽出ステップにおいてデータ識別情報と出力先特定情報とが抽出された場合、該データ識別情報で特定されるデータをデータ記憶手段から読み出し、出力先特定情報を含む出力先データを抽出し、抽出された出力先データに含まれる出力方法で出力先情報で特定される出力先に読み出されたデータを出力するステップと、をコンピュータに実行させ、声紋認証するステップは、マイクにより受付けられた音声を、声紋データを用いて声紋認証するステップを含み、音声認識するステップは、声紋認証するステップにおいてマイクにより受付けられた音声の声紋認証が成功した場合に、マイクにより受付けられた音声を音声認識して該音声に対応するデータを出力するステップを含み、データを取得するステップと、マイクにより受付けられた音声を音声認識して出力される該音声に対応するデータからデータ識別情報を抽出するステップと、音声に対応するデータからデータ識別情報が抽出された場合、該抽出されたデータ識別情報を付してデータを取得するステップにおいて取得されたデータをデータ記憶手段に書き込むステップと、をさらにコンピュータに実行させる。
【００１９】
この局面に従えば、情報処理装置への指示の入力を容易にするとともにセキュリティを確保することが可能な音声コマンド実行プログラムを提供することができる。
好ましくは、声紋データ記憶手段は、ユーザの声紋を、該ユーザを識別するためのユーザ識別情報と関連付けて記憶し、データ記憶手段は、ユーザ識別情報とデータ識別情報とを関連付けたユーザデータを記憶するユーザデータ記憶手段を含み、読み出されたデータを出力するステップは、声紋認証ステップにおいて認証されたユーザのユーザ識別情報と抽出するステップにより抽出されたデータ識別情報とを関連付けたユーザデータがユーザデータ記憶手段に記憶されていることをさらに条件として、抽出されたデータ識別情報で特定されるデータを出力するステップを含む。
好ましくは、声紋データ記憶手段は、ユーザの声紋を、該ユーザを識別するためのユーザ識別情報と関連付けて記憶し、データ記憶手段は、ユーザ識別情報とデータ識別情報とを関連付けたユーザデータを記憶するユーザデータ記憶手段を含み、書込するステップは、声紋認証するステップにおいて認証されたユーザのユーザ識別情報とマイクにより受付けられた音声から抽出されたデータ識別情報とを関連付けたユーザデータをユーザデータ記憶手段に書き込むステップを含む。
好ましくは、音声に対応するデータは、テキストデータである。
【００２０】
この発明のさらに他の局面によれば、音声コマンド実行方法は、ユーザを声紋認証するための声紋を含む声紋データを予め記憶する声紋データ記憶手段を備えた画像形成装置で実行される音声コマンド実行方法であって、画像形成装置は、複数種類の出力方法でデータを出力可能な画像形成装置であって、出力先を特定するための出力先特定情報と、複数種類の出力方法のいずれか１つと、いずれか１つの出力方法でデータを出力するための出力先情報とを関連付けた出力先データを記憶する出力先データ記憶手段と、データを記憶するデータ記憶手段と、電話回線に接続された通信手段と、通信手段とは別に設けられ、音声を受付けるためのマイクと、をさらに備え、通信手段を介して音声を受付けるステップと、受付けた音声を、声紋データを用いて声紋認証するステップと、声紋認証ステップによる声紋認証が成功した場合に、受付けた音声を音声認識して音声に対応するデータを出力するステップと、音声に対応するデータから処理対象となるデータを特定するデータ識別情報と出力先を特定する出力先特定情報とを抽出するステップと、抽出ステップにおいてデータ識別情報と出力先特定情報とが抽出された場合、該データ識別情報で特定されるデータをデータ記憶手段から読み出し、出力先特定情報を含む出力先データを抽出し、抽出された出力先データに含まれる出力方法で出力先情報で特定される出力先に読み出されたデータを出力するステップと、を含み、声紋認証するステップは、マイクにより受付けられた音声を、声紋データを用いて声紋認証するステップを含み、音声認識するステップは、声紋認証するステップにおいてマイクにより受付けられた音声の声紋認証が成功した場合に、マイクにより受付けられた音声を音声認識して該音声に対応するデータを出力するステップを含み、データを取得するステップと、マイクにより受付けられた音声を音声認識して出力される該音声に対応するデータからデータ識別情報を抽出するステップと、音声に対応するデータからデータ識別情報が抽出された場合、該抽出されたデータ識別情報を付してデータを取得するステップにおいて取得されたデータをデータ記憶手段に書き込むステップと、をさらに含む。
【００２１】
この局面に従えば、画像形成装置への指示の入力を容易にするとともにセキュリティを確保することが可能な音声コマンド実行方法を提供することができる。
好ましくは、声紋データ記憶手段は、ユーザの声紋を、該ユーザを識別するためのユーザ識別情報と関連付けて記憶し、データ記憶手段は、ユーザ識別情報とデータ識別情報とを関連付けたユーザデータを記憶するユーザデータ記憶手段を含み、読み出されたデータを出力するステップは、声紋認証ステップにおいて認証されたユーザのユーザ識別情報と抽出するステップにより抽出されたデータ識別情報とを関連付けたユーザデータがユーザデータ記憶手段に記憶されていることをさらに条件として、抽出されたデータ識別情報で特定されるデータを出力するステップを含む。
好ましくは、声紋データ記憶手段は、ユーザの声紋を、該ユーザを識別するためのユーザ識別情報と関連付けて記憶し、データ記憶手段は、ユーザ識別情報とデータ識別情報とを関連付けたユーザデータを記憶するユーザデータ記憶手段を含み、書込するステップは、声紋認証するステップにおいて認証されたユーザのユーザ識別情報とマイクにより受付けられた音声から抽出されたデータ識別情報とを関連付けたユーザデータをユーザデータ記憶手段に書き込むステップを含む。
好ましくは、音声に対応するデータは、テキストデータである。
【発明を実施するための最良の形態】
【００２２】
以下、本発明の実施の形態について図面を参照して説明する。以下の説明では同一の部品には同一の符号を付してある。それらの名称および機能も同じである。したがってそれらについての詳細な説明は繰返さない。
【００２３】
図１は、本発明の実施の形態の１つにおける情報処理システムの全体概要を示す図である。図１を参照して、情報処理システムは、２台のＭＦＰ１，２と、プリンタ５と、パーソナルコンピュータ（以下「ＰＣ」という）６とが、ローカルエリアネットワーク（ＬＡＮ）１１に接続されている。さらに、ＬＡＮ１１は、インターネット１４に接続されている。ＭＦＰ１，２各々は、複写機能、スキャナ機能、ファクシミリ送受信機能、プリント機能を備える。ＬＡＮ１１は、有線および無線のいずれであってもよい。プリンタ５およびＰＣ６は、それらのハード構成および機能は周知なのでここでは説明を繰り返さない。ＭＦＰ１，２各々は、ＬＡＮ１１を介してプリンタ５、ＰＣ６とデータの送受信が可能である。さらに、ＭＦＰ１，２各々は、ＬＡＮ１１およびインターネット１４を介してメールサーバ８に電子メールを送信することが可能である。なお、図１は、ＬＡＮ１１に、２台のＭＦＰ１，２を接続する例を示すが、台数を限定するものではない。
【００２４】
ＭＦＰ１，２各々は、さらに、公衆交換電話網（ＰＳＴＮ）１２に接続されている。このためＭＦＰ１，２各々は、ＰＳＴＮ１２に接続されたファクシミリ装置（ＦＡＸ）７とファクシミリデータを送受信することが可能である。また、ＭＦＰ１，２それぞれは、ＰＳＴＮ１２に接続された一般加入電話機３との間で通話を確立して、音声データを送受信することが可能である。さらに、ＭＦＰ１，２各々は、ＰＳＴＮ１２に接続された基地局１３を介して携帯電話４との間で通話を確立して、音声データを送受信することが可能である。なお、ＭＦＰ１，２をＰＳＴＮ１２に接続する例を示すが、ＰＳＴＮ１２に限らず、音声通話が可能なネットワークであれば、たとえばＩＳＤＮ（Ｉｎｔｅｇｒａｔｅｄ  Ｓｅｒｖｉｃｅｓ  Ｄｉｇｉｔａｌ  Ｎｅｔｗｏｒｋ）等のデジタル通信網であってもよく、さらに、インターネット１４を利用したＩＰ（Ｉｎｔｅｒｎｅｔ  Ｐｒｏｔｏｃｏｌ）電話であってもよい。
【００２５】
本実施の形態におけるＭＦＰ１，２各々は、電話機３または携帯電話４との間で通話を確立して、電話機３または携帯電話４から音声の指令（以下「音声コマンド」）が入力されると、ＭＦＰ１，２各々に予め記憶したデータを、プリンタ５、ＰＣ６、ＦＡＸ７またはメールサーバ８に出力する。ＭＦＰ１，２は、構成および機能は同じなので、以下の説明ではＭＦＰ１を例に説明する。
【００２６】
図２は、ＭＦＰの外観を示す斜視図である。図２を参照して、ＭＦＰ１は、自動原稿搬送装置（ＡＤＦ）２１と、画像読取部２２と、画像形成部２３と、給紙部２４と、ハンドセット２５とを含む。ＡＤＦ２１は、原稿台に搭載された複数枚の原稿をさばいて１枚ずつ順に、画像読取部２２に搬送する。画像読取部２２は、写真、文字、絵等の画像情報を原稿から光学的に読み取って画像データを取得する。画像形成部２３は、画像データが入力されると、画像データに基づいて用紙等の記録シート上に画像をプリントする。給紙部２４は、記録シートを格納しており、格納した記録シートを１枚ずつ画像形成部２３に供給する。ハンドセット２５は、マイク２５Ａおよびスピーカ２５Ｂを備え、ＭＦＰ１を電話機として使用する場合、またはＭＦＰ１に音声を入力する場合に、ユーザにより使用される。また、ＭＦＰ１は、その上面に操作パネル２６を備える。
【００２７】
図３は、ＭＦＰのハード構成の一例を示すブロック図である。図３を参照して、ＭＦＰ１は、情報処理部１０１と、ファクシミリ部２７と、通信制御部２８と、ＡＤＦ２１と、画像読取部２２と、画像形成部２３と、給紙部２４と、マイク２５Ａと、スピーカ２５Ｂとを含む。情報処理部１０１は、中央演算装置（ＣＰＵ）１１１と、ＣＰＵ１１１の作業領域として使用されるＲＡＭ（Ｒａｎｄｏｍ  Ａｃｃｅｓｓ  Ｍｅｍｏｒｙ）１１２と、データを不揮発的に記憶するためのハードディスクドライブ（ＨＤＤ）１１３と、表示部１１４と、操作部１１５と、データ通信制御部１１６と、データ入出力部１１７とを含む。ＣＰＵ１１１は、データ入出力部１１７、データ通信制御部１１６、操作部１１５、および表示部１１４とそれぞれ接続され、情報処理部１０１の全体を制御する。また、ＣＰＵ１１１は、ファクシミリ部２７、通信制御部２８、ＡＤＦ２１、画像読取部２２、画像形成部２３、給紙部２４、マイク２５Ａおよびスピーカ２５Ｂと接続され、ＭＦＰ１の全体を制御する。
【００２８】
表示部１１４は、液晶表示装置（ＬＣＤ）、有機ＥＬＤ（Ｅｌｅｃｔｒｏ  Ｌｕｍｉｎｅｓｃｅｎｃｅ Ｄｉｓｐｌａｙ）等の表示装置であり、ユーザに対する指示メニューや取得した画像データに関する情報等を表示する。操作部１１５は、複数のキーを備え、キーに対応するユーザの操作による各種の指示、文字、数字などのデータの入力を受付ける。操作部１１５は、表示部１１４上に設けられたタッチパネルを含む。表示部１１４と操作部１１５とで、操作パネル２６が構成される。
【００２９】
データ通信制御部１１６は、データ入出力部１１７と接続される。データ通信制御部１１６は、ＣＰＵ１１１からの指示に従って、データ入出力部１１７を制御して、データ入出力部１１７に接続された外部の機器との間でデータを送受信する。データ入出力部１１７は、ＴＣＰ（Ｔｒａｎｓｍｉｓｓｉｏｎ  Ｃｏｎｔｒｏｌ  Ｐｒｏｔｏｃｏｌ）またはＦＴＰ（Ｆｉｌｅ  Ｔｒａｎｓｆｅｒ  Ｐｒｏｔｏｃｏｌ）等の通信プロトコルで通信するためのインターフェースであるＬＡＮ端子１１８、ＵＳＢ（Ｕｎｉｖｅｒｓａｌ  Ｓｅｒｉａｌ  Ｂｕｓ）端子１１９を有する。
【００３０】
ＬＡＮ端子１１８に、ＬＡＮ１１に接続するためのＬＡＮケーブルが接続される場合、データ通信制御部１１６は、データ入出力部１１７を制御してＬＡＮ端子１１８を介して接続されたＭＦＰ２、ＰＣ６、プリンタ５と通信し、さらに、インターネット１４を介してＬＡＮ１１に接続されるメールサーバ８と通信する。ＵＳＢ端子１１９に機器が接続された場合、データ通信制御部１１６は、データ入出力部１１７を制御して、接続された機器との間で通信してデータを入出力する。ＵＳＢ端子１１９には、フラッシュメモリを内蔵したＵＳＢメモリ１１９Ａが接続可能である。ＵＳＢメモリ１１９Ａには、後述する音声コマンド実行プログラムが記憶されており、ＣＰＵ１１１は、データ通信制御部１１６を制御して、ＵＳＢメモリ１１９Ａから音声コマンド実行プログラムを読出し、読み出した音声コマンド実行プログラムをＲＡＭ１１２に記憶し、実行する。
【００３１】
なお、音声コマンド実行プログラムを記憶する記録媒体としては、ＵＳＢメモリ１１９Ａに限られず、フレキシブルディスク、カセットテープ、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）／ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等の固定的にプログラムを担持する媒体でもよい。さらに、ＣＰＵ１１１がインターネット１４に接続されたコンピュータから音声コマンド実行プログラムをダウンロードしてＨＤＤ１１３に記憶する、または、インターネット１４に接続されたコンピュータが音声コマンド実行プログラムをＨＤＤ１１３に書込みするようにして、ＨＤＤ１１３に記憶された音声コマンド実行プログラムをＲＡＭ１１２にロードしてＣＰＵ１１１で実行するようにしてもよい。ここでいうプログラムは、ＣＰＵ１１１により直接実行可能なプログラムだけでなく、ソースプログラム形式のプログラム、圧縮処理されたプログラム、暗号化されたプログラム等を含む。
【００３２】
ファクシミリ部２７は、ＰＳＴＮ１２に接続され、ＰＳＴＮ１２にファクシミリデータを送信する、またはＰＳＴＮ１２からファクシミリデータを受信する。ファクシミリ部２７は、受信したファクシミリデータを、画像形成部２３でプリント可能なプリントデータに変換して、画像形成部２３に出力する。これにより、画像形成部２３は、ファクシミリ部２７により受信されたファクシミリデータを記録シートにプリントする。また、ファクシミリ部２７は、ＨＤＤ１１３に記憶されたデータをファクシミリデータに変換して、ＰＳＴＮ１２に接続されたＦＡＸ７またはＭＦＰ２に出力する。これにより、ＨＤＤ１１３に記憶されたデータをＦＡＸ７またはＭＦＰ２で出力することができる。
【００３３】
通信制御部２８は、ＣＰＵ１１１をＰＳＴＮ１２に接続するためのモデムである。通信制御部２８は、ＰＳＴＮ１２に接続された電話機３、またはＰＳＴＮ１２に接続された基地局１３と無線接続された携帯電話４と通話を確立して、音声通信することが可能である。ＭＦＰ１には、ＰＳＴＮ１２において電話番号が予め割り当てられており、電話機３または携帯電話４からＭＦＰ１に割り当てられた電話番号に発呼があると、通信制御部２８がその発呼を検出する。通信制御部２８は、発呼を検出すると通話を確立し、発呼を送信してきた機器がＦＡＸ７またはＭＦＰ２の場合には、ファクシミリ部２７に通信させるが、発呼を送信してきた機器が電話機３または携帯電話４の場合には、電話機３または携帯電話４との間で音声の通話を可能とする。通信制御部２８は、電話機３または携帯電話４との間の通話を確立した場合、電話機３または携帯電話４から送信される音声データをＣＰＵ１１１に出力し、ＣＰＵ１１１から入力される音声データを電話機３または携帯電話４に送信する。
【００３４】
マイク２５Ａは、ユーザの音声を集音してアナログの音声データをＣＰＵ１１１に出力する。すなわち、マイク２５Ａは、ＭＦＰ１に音声を入力するための入力装置であり、ＣＰＵ１１１は、マイク２５Ａから入力される音声データを取得する。スピーカ２５Ｂは、ＣＰＵ１１１から出力されるアナログの音声データに基づいて音を発生する。
【００３５】
図４は、ＭＦＰのＣＰＵの機能の概要をＨＤＤで記憶する情報とともに示す機能ブロック図である。図４を参照して、ＨＤＤ１１３は、声紋データ１１３Ａと、データ１１３Ｂと、ユーザデータ１１３Ｃと、出力先データ１１３Ｄとを記憶する。声紋データ１１３Ａは、ユーザの声紋とそのユーザを識別するためのユーザ識別情報とを関連付けたデータである。声紋データ１１３Ａは、例えば、ユーザがマイク２５Ａから所定の文字を発声して音声データを入力し、その音声データに基づいて生成され、ＨＤＤ１１３にユーザを識別するためのユーザ識別情報と関連付けて予め記憶される。所定の文字は、例えば、英数字、「．」、「＠」、「−」、「＿」などであり、ファイル名と装置名に用いられる文字であることが好ましい。なお、マイク２５Ａから音声を入力するのではなく、他の装置で生成された声紋データをＵＳＢメモリ１１９Ａに記憶し、ＵＳＢメモリ１１９Ａから声紋データを読み出して、ＨＤＤ１１３に記憶するようにしてもよい。データ１１３Ｂは、後述する出力処理の対象となるデータであり、データを特定するためのファイル名等のデータ識別情報が付されてＨＤＤ１１３に記憶される。ユーザデータ１１３Ｃは、ユーザを識別するためのユーザ識別情報と、データ識別情報（ファイル名）とを関連付けたデータである。ユーザデータによりデータ１１３Ｂをユーザ毎に分類することができる。
【００３６】
出力先データ１１３Ｄは、データの出力先を定義するデータであり、ＨＤＤ１１３に予め記憶される。図５は、出力先データの一例を示す図である。図５を参照して、出力先データ１１３Ｄは、出力先名と、出力方法と、出力先情報とを関連付ける。出力先名は、出力先を特定するための情報であり、たとえば、出力先の装置を識別するための装置識別情報である装置名、出力先のユーザを識別するためのユーザ名である。出力方法は、ファクシミリ送信、電子メール送信、ファイル転送（ＦＴＰ）および画像処理のいずれかの方法を示す。出力先情報は、出力方法で出力するために出力先を特定するための情報であり、ファクシミリ送信に対してはファクシミリ番号、電子メールに対しては電子メールアドレス、ファイル転送（ＦＴＰ）に対してはＵＲＬ（Ｕｎｉｆｏｒｍ  Ｒｅｓｏｕｒｃｅ  Ｌｏｃａｔｏｒ）である。たとえば、出力先名「装置Ａ」に対して、出力方法に「ＦＡＸ」、出力先情報としてファクシミリ番号「０６−６６６６−６６６６」が関連付けられる。なお、出力先データは、ＭＦＰ１自身を出力先に設定することができる。図５では、ＭＦＰ１の装置識別情報を「装置Ｅ」として示している。出力先「装置Ｅ」に対しては、出力方法に画像形成部２３による画像形成処理が関連付けられ、出力先情報は不要なのでブランクが関連付けられる。
【００３７】
図４に戻って、ＣＰＵ１１１は、入力される音声を取得する音声取得部１５１と、音声が入力されると声紋認証する声紋認証部１５２と、音声が入力されると音声認識してテキストデータを出力する音声認識部１５３と、送信するべきデータを取得するためのデータ取得部１５４と、与えられた制御コマンドに従って処理を実行する処理実行部１５６と、データを指定された宛先に送信するデータ送信部１５５とを含む。
【００３８】
音声取得部１５１は、マイク２５Ａが出力する音声データを取得する。ユーザがハンドセット２５をオフフックして、マイク２５Ａに音声を入力すると、マイク２５Ａが入力された音声を電気信号の音声データに変換し、ＣＰＵ１１１に出力する。また、音声取得部１５１は、通信制御部２８から音声データを取得する。通信制御部２８は、電話機３または携帯電話４からの発呼を検出して通話を確立した場合、電話機３または携帯電話４から送信される音声データが入力されると、入力された音声データをＣＰＵ１１１に出力する。音声取得部１５１は、マイク２５Ａから入力される音声データ、または通信制御部２８から入力される音声データを取得し、音声データを声紋認証部１５２および音声認識部１５３に出力する。
【００３９】
声紋認証部１５２は、音声データを、ＨＤＤ１１３に記憶された声紋データ１１３Ａを用いて声紋認証し、認証結果を処理実行部１５６に出力する。声紋認証部１５２は、認証が成功した場合には、認証されたユーザのユーザ識別情報を処理実行部１５６に出力する。ＨＤＤ１１３に複数の声紋データ１１３Ａが記憶されている場合、声紋認証部１５２は、音声取得部１５１から入力される音声データを、ＨＤＤ１１３に記憶されている複数の声紋データ１１３Ａ各々を用いて声紋認証する。そして、認証に成功した声紋と、声紋データ１１３Ａにより関連付けられたユーザ識別情報を、処理実行部１５６に出力する。
【００４０】
音声認識部１５３は、音声データを音声認識してテキストデータを生成し、テキストデータを処理実行部１５６に出力する。本実施の形態においては、ユーザは、マイク２５Ａにファイル名を読み上げた音声を入力する。したがって、マイク２５Ａから音声データが音声取得部１５１に入力される場合には、音声認識部１５３が出力するテキストデータには、ファイル名が含まれる。また、本実施の形態においては、ユーザが電話機３に出力先を特定するための出力先名と出力するデータを特定するためのファイル名とを読み上げた音声を入力する。したがって、通信制御部２８から音声データが音声取得部１５１に入力される場合には、音声認識部１５３が出力するテキストデータには、出力先名とファイル名とが含まれる。出力先名は、出力先を特定するための出力先特定情報である。
【００４１】
データ取得部１５４は、画像読取部２２から画像データが入力される。データ取得部１５４は、画像データを処理実行部１５６に出力する。
【００４２】
処理実行部１５６は、制御コマンドが入力されると、制御コマンドに従って処理を実行する。処理実行部１５６は、書込部１６１と、出力部１６２とを含む。処理実行部１５６は、音声取得部１５１にマイク２５Ａから音声データが入力された場合、例えばハンドセット２５のオフフックが検出された場合、データ書き込み処理のための制御コマンドが入力され、書込部１６１を能動化する。書込部１６１は、音声認識部１５３からファイル名を含むテキストデータが入力され、データ取得部１５４から画像データが入力され、声紋認証部１５２からユーザ識別情報が入力される。書込部１６１は、制御コマンドに従って、画像データにファイル名を付してＨＤＤ１１３に記憶するとともに、ファイル名とユーザ識別情報とを関連付けたユーザデータを生成してＨＤＤ１１３に記憶する。これにより、画像データにファイル名を付したデータ１１３Ｂおよびユーザデータ１１３ＣがＨＤＤ１１３に記憶される。
【００４３】
また、処理実行部１５６は、音声取得部１５１に通信制御部２８から音声データが入力された場合、処理実行部１５６にデータ出力処理のための制御コマンドが入力され、出力部１６２を能動化する。出力部１６２は、音声認識部１５３からファイル名および出力先名を含むテキストデータが入力され、声紋認証部１５２からユーザ識別情報が入力される。出力部１６２は、ファイル名が付されたデータ１１３ＢをＨＤＤ１１３から読出し、ＨＤＤ１１３から出力先名を含む出力先データ１１３Ｄを読出す。そして、出力部１６２は、出力先データ１１３Ｄにより出力先名に関連付けられた出力方法で、ファイル名が付されたデータ１１３Ｂを出力先情報で特定される出力先に出力する。データ１１３Ｂは、書込部１６１によりＨＤＤ１１３に書き込まれた画像データの他に、ＨＤＤ１１３に記憶されているデータ、例えば、ＰＣ６から受信されたデータ、メールサーバ８から受信されたデータ、ＦＡＸ７からファクシミリ受信されたデータを含む。
【００４４】
出力部１６２は、ユーザ識別情報とファイル名とを含むユーザデータ１１３ＣがＨＤＤ１１３に記憶されていることを条件に、データ１１３Ｂを出力する。声紋認証により認証されたユーザのユーザ識別情報で関連付けられたデータ１１３Ｂのみを出力することにより、データ１１３Ｂのセキュリティを確保することができる。出力部１６２は、出力方法がＦＡＸ、電子メールまたはＦＴＰの場合には、ＨＤＤ１１３から読み出したデータ１１３Ｂと送信先情報とをデータ送信部１５５に出力し、出力方法が画像形成の場合には、ＨＤＤ１１３から読み出した出力データを画像形成部２３に出力する。
【００４５】
なお、出力部１６２は、出力先名に代えて、出力先特定情報として電子メールアドレス、ファクシミリ番号、ファイル転送に必要なＵＲＬ等が入力される場合には、出力先データ１１３Ｄを読み出すことなく、ファイル名が付されたデータ１１３Ｂを、入力された出力先特定情報に基づいて出力する。この場合には、ＨＤＤ１１３に出力先データ１１３Ｄを記憶しておく必要はない。
【００４６】
データ送信部１５５は、出力方法「ＦＡＸ」が入力されると、出力先情報とデータ１１３Ｂとをファクシミリ部２７に出力し、ファクシミリ部２７に出力先情報のファクシミリ番号に発呼させて、データ１１３Ｂをファクシミリ送信させる。データ送信部１５５は、出力方法「電子メール」が入力されると、データ１１３Ｂを本文または添付ファイルに含み、宛先を出力先情報の電子メールアドレスとする電子メールを生成し、生成した電子メールをメールサーバ８に送信する。さらに、データ送信部１５５は、出力方法「ＦＴＰ」が入力されると、データ通信制御部１１６に、データ１１３Ｂを出力先情報で特定されるＵＲＬにＦＴＰで送信させる。
【００４７】
図６は、ＭＦＰのＣＰＵで実行されるデータ登録処理の流れの一例を示すフローチャートである。図６を参照して、ＣＰＵ１１１は、スキャナモードで画像読取部２２により原稿が読み取られたか否かを判断し（ステップＳ０１）、原稿が読み取られた場合には処理をステップＳ０２に進め、原稿が読み取られるまで待機状態となる。ステップＳ０２では、画像読取部２２が原稿を読み取って出力する画像データを取得し、ＲＡＭ１１２に一時的に記憶する。
【００４８】
そして、ハンドセット２５がオフフックとなったか否かを判断し（ステップＳ０３）、オフフックが検出されたならば処理をステップＳ０４に進め、オフフックが検出されなければ待機状態となる。ステップＳ０４では、マイク２５Ａから出力される音声データを取得する。なお、ステップＳ０１およびステップＳ０２と、ステップＳ０３およびステップＳ０４とを、実行する順序を逆にして、音声データを取得してから、画像データを取得するようにしてもよい。
【００４９】
ステップＳ０５では、ステップＳ０４で取得した音声データを、ＨＤＤ１１３に記憶されている声紋データ１１３Ａを用いて声紋認証する。ＣＰＵ１１１は、ステップＳ０４で取得した音声データの声紋と一致する声紋を含む声紋データ１１３ＡをＨＤＤ１１３から抽出する。そして、声紋認証に成功したか否かを判断し（ステップＳ０６）、認証に成功したならば処理をステップＳ０７に進めるが、認証に失敗したならば処理を終了する。ＣＰＵ１１１は、ステップＳ０４で取得した音声データの声紋と一致する声紋を含む声紋データ１１３ＡがＨＤＤ１１３から抽出できたならば認証に成功したと判断し、抽出できなければ認証に失敗したと判断する。認証に失敗した場合にＨＤＤ１１３にデータを記憶しないようにして、ＨＤＤ１１３に記憶されているデータ１１３Ｂのセキュリティを確保するためである。
【００５０】
そして、ステップＳ０７では、ステップＳ０４で取得した音声データの音声を発声したユーザのユーザ識別情報を取得する。ＣＰＵ１１１は、ステップＳ０５でＨＤＤ１１３から抽出した声紋データ１１３Ａに含まれるユーザ識別情報を取得する。そして、ステップＳ０４で取得した音声データを音声認識してテキストデータを出力する（ステップＳ０８）。次に、テキストデータからファイル名を抽出し（ステップＳ０９）、ステップＳ０２で取得した画像データにステップＳ０９で抽出したファイル名を付してＨＤＤ１１３に記憶する（ステップＳ１０）。これにより、ＨＤＤ１１３にデータ１１３Ｂが記憶される。さらに、ＣＰＵ１１１は、ステップＳ０７で取得したユーザ識別情報と、ステップＳ０９で抽出したファイル名とを関連付けたユーザデータ１１３Ｃを生成して、ＨＤＤ１１３に記憶する（ステップＳ１１）。
【００５１】
図７は、ＭＦＰのＣＰＵで実行されるデータ出力処理の流れの一例を示すフローチャートである。図７を参照して、ＣＰＵ１１１は、通信制御部２８で着呼が検出されたか否かを判断し（ステップＳ２１）、着呼が検出されたならば通話を確立し（ステップＳ２２）、着呼が検出されなければ待機状態となる。すなわち、データ出力処理は、通信制御部２８で着呼が検出されることを条件に実行される処理である。そして、ＣＰＵ１１１は、音声データが入力されるまで待機状態となり（ステップＳ２３でＮＯ）、音声データが入力されると（ステップＳ２３でＹＥＳ）、声紋データ１１３Ａを用いて声紋認証する（ステップＳ２４）。そして、声紋認証に成功したか否かを判断し（ステップＳ２５）、声紋認証に成功したならば処理をステップＳ２６に進めるが、声紋認証に失敗したならば処理をステップＳ３３に進める。ステップＳ３３では、ステップＳ２２で確立した通話を切断する。声紋認証に失敗した場合にＨＤＤ１１３にデータを出力しないようにして、ＨＤＤ１１３に記憶されているデータ１１３Ｂのセキュリティを確保するためである。
【００５２】
ステップＳ２６では、ステップＳ２３で入力された音声データの音声を発声したユーザのユーザ識別情報を取得する。ＣＰＵ１１１は、ステップＳ２５でＨＤＤ１１３から抽出した声紋データ１１３Ａに含まれるユーザ識別情報を取得する。そして、ステップＳ２３で取得した音声データを音声認識してテキストデータを生成し（ステップＳ２７）、テキストデータからファイル名と出力先名とを抽出する（ステップＳ２８）。
【００５３】
ＣＰＵ１１１は、ステップＳ２６で取得したユーザ識別情報とステップＳ２８で抽出したファイル名とを含むユーザデータ１１３ＣがＨＤＤ１１３に記憶されているか否かを判断し（ステップＳ２９）、そのようなユーザデータ１１３Ｃが記憶されていれば処理をステップＳ３０に進めるが、記憶されていなければ処理をステップＳ３３に進める。声紋認証されたユーザのユーザ識別情報に関連付けられていないデータを出力しないようにして、ＨＤＤ１１３に記憶されているデータ１１３Ｂのセキュリティを確保するためである。
【００５４】
そして、ステップＳ２８で抽出されたファイル名の付されたデータ１１３ＢをＨＤＤ１１３から読出し（ステップＳ３０）、ステップＳ２８で抽出された出力先名を含む出力先データ１１３ＤをＨＤＤ１１３から読み出す（ステップＳ３１）。さらに、ステップＳ３１で読み出した出力先データ１１３Ｄの送信方法で出力先情報の出力先に、ステップＳ３０で読み出したデータ１１３Ｂを出力する（ステップＳ３２）。具体的には、出力先データ１１３Ｄの出力方法がＦＡＸの場合、出力先情報とデータ１１３Ｂとをファクシミリ部２７に出力し、ファクシミリ部２７に出力先情報のファクシミリ番号に発呼させて、データ１１３Ｂをファクシミリ送信させる。また、出力方法が電子メールの場合には、データ１１３Ｂを本文または添付ファイルに含み、宛先を出力先情報の電子メールアドレスとする電子メールを生成し、生成した電子メールをメールサーバ８に送信する。さらに、出力方法がＦＴＰの場合、データ通信制御部１１６に、データ１１３Ｂを出力先情報で特定されるＵＲＬにＦＴＰで送信させる。そして、ＣＰＵ１１１は、ステップＳ２２で確立した通話を切断して（ステップＳ３３）、処理を終了する。
【００５５】
以上説明したように本実施の形態におけるＭＦＰ１は、電話機３と通話が確立されて音声が受付けられると、受付けられた音声で声紋認証し、声紋認証が成功した場合に、受付けられた音声を音声認識してテキストデータを出力し、テキストデータからファイル名と出力先名とが抽出された場合、ファイル名が付されたデータ１１３Ｂを出力先名に関連付けられた出力方法で出力先情報の出力先に出力する。このため、ＭＦＰ１と離れた場所にいるユーザが電話機３でＭＦＰ１に発呼して、ファイル名と出力先名とを読み上げれば、ＭＦＰ１からファイル名のデータ１１３Ｂを出力させることができる。その結果、データのセキュリティを確保しつつ、遠隔操作で容易にデータを出力させることができる。
【００５６】
また、ＭＦＰ１は、マイク２５Ａに音声が入力されると、その音声で声紋認証し、声紋認証が成功した場合に、音声を音声認識してテキストデータを出力し、テキストデータからファイル名が抽出された場合、像読取部２２が原稿を読み取って出力する画像データにファイル名を付して記憶する。このため、セキュリティを確保しつつ容易にデータを記憶させることができる。
【００５７】
なお、上述した実施の形態においては、ＭＦＰ１について説明したが、ＭＦＰ１のＣＰＵ１１１に図６および図７に記載した処理を実行させる音声コマンド実行プログラムまたは音声コマンド実行方法として発明を捉えることができるのはいうまでもない。
【００５８】
また、情報処理装置は、ＭＦＰ１に限定されることなく、たとえば、ＰＣであってもよい。さらに、出力先を特定する情報は、装置名、ユーザ名に限定されない。例えば、出力先装置が設置されている場所を特定するための情報、すなわち、会社名、施設名、住所等であってもよい。さらに、ユーザの音声を音声認識した際に出力するデータはテキストデータに限られず、バイナリデータであってもよい。例えば、出力先を特定するための情報やファイル名を予め音声データで登録しておき、ユーザの音声を音声認識して出力した音声データと当該音声データが一致したときにデータ出力処理を実行するようにしてもよい。
【００５９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６０】
＜付記＞
上述したＭＦＰには、次の発明概念が含まれる。
（１）  前記出力先特定情報に出力方法と出力先情報とを関連付けた出力先データを記憶する出力先データ記憶手段をさらに含み、
前記データ出力手段は、前記出力先特定情報を含む出力先データを抽出する出力先データ抽出手段を含む、請求項３に記載の情報処理装置。
（２）  前記音声受付手段とは別に設けられ、音声を受付けるためのマイクと、
データを取得するデータ取得手段と、をさらに備え、
前記声紋認証手段は、前記マイクにより受付けられた音声を、前記声紋データを用いて声紋認証し、
前記音声認識手段は、前記声紋認証手段による前記マイクにより受付けられた音声の声紋認証が成功した場合に、前記マイクにより受付けられた音声を音声認識して該音声に対応するデータを出力し、
前記処理実行手段は、前記マイクにより受付けられた音声を音声認識して出力される該音声に対応するデータからデータ識別情報を抽出する入力データ抽出手段と、
前記入力データ抽出手段により前記データ識別情報が抽出された場合、該抽出されたデータ識別情報を付して前記データ取得手段が出力する前記データを前記データ記憶手段に書き込む書込手段と、を含む請求項３に記載の情報処理装置。
【図面の簡単な説明】
【００６１】
【図１】本発明の実施の形態の１つにおける情報処理システムの全体概要を示す図である。
【図２】ＭＦＰの外観を示す斜視図である。
【図３】ＭＦＰのハード構成の一例を示すブロック図である。
【図４】ＭＦＰのＣＰＵの機能の概要をＨＤＤで記憶する情報とともに示す機能ブロック図である。
【図５】出力先データの一例を示す図である。
【図６】ＭＦＰのＣＰＵで実行されるデータ登録処理の流れの一例を示すフローチャートである。
【図７】ＭＦＰのＣＰＵで実行されるデータ出力処理の流れの一例を示すフローチャートである。
【符号の説明】
【００６２】
３  電話機、４  携帯電話、５  プリンタ、６  ＰＣ、７  ＦＡＸ、８  メールサーバ、１１  ＬＡＮ、１４  インターネット、１３  基地局、２１  ＡＤＦ、２２  画像読取部、２３  画像形成部、２４  給紙部、２５  ハンドセット、２５Ａ  マイク、２５Ｂ  スピーカ、２６  操作パネル、２７  ファクシミリ部、２８  通信制御部、１０１  情報処理部、１１３  ＨＤＤ、１１３Ａ  声紋データ、１１３Ｂ  データ、１１３Ｃ  ユーザデータ、１１３Ｄ  出力先データ、１１４  表示部、１１５  操作部、１１６  データ通信制御部、１１７  データ入出力部、１１８  ＬＡＮ端子、１１９  ＵＳＢ端子、１１９Ａ  ＵＳＢメモリ、１５１  音声取得部、１５２  声紋認証部、１５３  音声認識部、１５４  データ取得部、１５５  データ送信部、１５６  処理実行部、１６１  書込部、１６２  出力部。
【図１】
0004466572.tif 000002
【図２】
0004466572.tif 000003
【図３】
0004466572.tif 000004
【図４】
0004466572.tif 000005
【図５】
0004466572.tif 000006
【図６】
0004466572.tif 000007
【図７】
0004466572.tif 000008